(57)【要約】【課題】  本発明は包装容器本体と蓋との密閉に粘着テープを用いることなく、方向の異なる2つの嵌合で包装容器本体と蓋とを嵌合固定させ、確実に密閉状態にでき、容易に蓋が外れるのを防止するとともに、包装容器本体に蓋を容易に短時間で取付けることができ、かつ包装容器本体と蓋との固定を安価にできる包装容器を得るにある。【解決手段】  開口部の外周縁に内側嵌合部と外側嵌合部が形成された蓋嵌合突片を有する包装容器本体と、この包装容器本体の蓋嵌合突片の内側嵌合部と外側嵌合部と嵌合する凹部状の嵌合凹部が外周部に形成された包装容器本体の開口部を覆う蓋と、前記包装容器本体の蓋嵌合突片に所定間隔で形成された、該蓋嵌合突片の延長方向に対して所定の角度を有するように形成された複数個の凹凸部で形成された本体側嵌合部と、この本体側嵌合部とそれぞれ嵌合する前記蓋の嵌合凹部に形成された蓋側嵌合部とで包装容器を構成している。【選択図】  図１
2012081965.tif 000002
【特許請求の範囲】
【請求項１】
開口部の外周縁に内側嵌合部と外側嵌合部が形成された蓋嵌合突片を有する包装容器本体と、この包装容器本体の蓋嵌合突片の内側嵌合部と外側嵌合部と嵌合する凹部状の嵌合凹部が外周部に形成された包装容器本体の開口部を覆う蓋と、前記包装容器本体の蓋嵌合突片に所定間隔で形成された、該蓋嵌合突片の延長方向に対して所定の角度を有するように形成された複数個の凹凸部で形成された本体側嵌合部と、この本体側嵌合部とそれぞれ嵌合する前記蓋の嵌合凹部に形成された蓋側嵌合部とからなる包装容器。
【請求項２】
包装容器本体および蓋嵌合突片は長方形状に形成され、各辺の中央部およびその両側部位に、該蓋嵌合突片の延長方向に対して直角に形成された複数個の凹凸部で形成された本体側嵌合部と、蓋および嵌合凹部は長方形状に形成され、嵌合凹部には本体側嵌合部と嵌合する各辺の中央部およびその両側部位に、該嵌合凹部の延長方向に対して直角に形成された複数個の凹凸部で形成された蓋側嵌合部が形成されていることを特徴とする請求項１記載の包装容器。
【請求項３】
包装容器本体および蓋の一部あるいは角部には外方へ突出する開放舌片が位置をずらして形成され、かつ両開放舌片近傍の包装容器本体の蓋嵌合突片と蓋の嵌合凹部とが固定状態となるように点状にシールされているとともに、蓋は透明材で形成され、かつ蓋の上面には包装容器本体の底面の凹部と係合させることができる突部が形成されていることを特徴とする請求項１または請求項２記載の包装容器。
【発明の詳細な説明】
【技術分野】
【０００１】
本発明はスーパー、コンビニエンスストアー等で販売するお弁当、麺類、惣菜等を包装する包装容器に関する。
【背景技術】
【０００２】
従来、スーパー、コンビニエンスストアー等でのお弁当等の包装容器は、包装容器本体の開口部を透明材製の蓋で覆い、蓋が包装容器本体から外れないように前後左右部位の包装容器本体と蓋とを粘着テープで貼着して封鎖している。
【０００３】
このため、前後左右方向に粘着テープを貼着する貼着作業が大変で手数がかかるとともに、粘着テープの貼着作業時に蓋の付いた包装容器本体を移動させるため、内部の具材が移動して見苦しくなったりするという欠点があった。
【先行技術文献】
【特許文献】
【０００４】
【特許文献１】特開２００５−１５００１号公報
【特許文献２】特開２０１０−１３２３０２号公報
【発明の概要】
【発明が解決しようとする課題】
【０００５】
本発明は以上のような従来の欠点に鑑み、包装容器本体と蓋との密閉に粘着テープを用いることなく、方向の異なる二つの嵌合で包装容器本体と蓋とを嵌合固定させ、確実に密閉状態にでき、容易に蓋が外れるのを防止するとともに、包装容器本体に蓋を容易に短時間で取付けることができ、かつ包装容器本体と蓋との固定を安価にできる包装容器を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は開口部の外周縁に内側嵌合部と外側嵌合部が形成された蓋嵌合突片を有する包装容器本体と、この包装容器本体の蓋嵌合突片の内側嵌合部と外側嵌合部と嵌合する凹部状の嵌合凹部が外周部に形成された包装容器本体の開口部を覆う蓋と、前記包装容器本体の蓋嵌合突片に所定間隔で形成された、該蓋嵌合突片の延長方向に対して所定の角度を有するように形成された複数個の凹凸部で形成された本体側嵌合部と、この本体側嵌合部とそれぞれ嵌合する前記蓋の嵌合凹部に形成された蓋側嵌合部とで包装容器を構成している。
【発明の効果】
【０００８】
以上の説明から明らかなように、本発明にあっては次に列挙する効果が得られる。
（１）請求項１により、包装容器本体の蓋嵌合突片と蓋の嵌合凹部との嵌合、および蓋嵌合突片に所定間隔で形成された、該蓋嵌合突片の延長方向に対して所定の角度を有するように形成された複数個の凹凸部で形成された本体側嵌合部と前記蓋の嵌合凹部に形成された蓋側嵌合部との嵌合によって、包装容器本体の開口部を蓋で嵌合固定することができる。
したがって、蓋嵌合突片と嵌合凹部との嵌合、および本体側嵌合部と蓋側嵌合部との嵌合の二つの嵌合で包装容器本体の開口部を蓋で嵌合固定することができるので、従来のように作業時間やコストのかかる粘着テープを用いなくても確実に嵌合固定することができる。
（２）前記（１） により、蓋嵌合突片と嵌合凹部との嵌合と、本体側嵌合部と蓋側嵌合部との嵌合の方向が異なるので、一方向の嵌合の解除をして開放するような方向の力が働いたとしても、他方の嵌合によって簡単に嵌合が解除されるのを防止することができる。
また、本体側嵌合部と蓋側嵌合部との嵌合によって、従来の粘着テープを用いて固定していたと同様な効果が得られる。
（３）前記（１） により、包装容器本体の開口部を蓋で嵌合固定するので、容易な作業で短時間に包装容器本体の開口部を蓋で閉じることができる。
（４）請求項２も前記（１）〜（３）と同様な効果が得られる。
（５）請求項３も前記（１）〜（３） と同様な効果が得られるとともに、包装容器本体内の様子を確認することができ、かつ、積み重ね等の展示を崩れることなく確実に行なうことができるとともに、包装容器本体の角部の開放舌片と蓋の角部の開放舌片近傍の蓋嵌合突片と蓋の嵌合凹部とは点状にシールされているので、輸送作業や展示作業時に包装容器本体から蓋が誤って外れたりするのを確実に防止することができる。
【図面の簡単な説明】
【０００９】
【図１】本発明を実施するための第１の形態の平面図。
【図２】図１の２−２線に沿う断面図。
【図３】図１の３−３線に沿う断面図。
【図４】図１の４−４線に沿う断面図。
【図５】本発明を実施するための第１の形態の包装容器本体の斜視図。
【図６】本発明を実施するための第１の形態の蓋の斜視図。
【図７】本発明を実施するための第２の形態の平面図。
【図８】図７の８−８線に沿う断面図。
【図９】図７の９−９線に沿う断面図。
【図１０】本発明を実施するための第２の形態の包装容器本体の斜視図。
【図１１】本発明を実施するための第２の形態の蓋の斜視図。
【図１２】本発明を実施するための第３の形態の平面図。
【図１３】図１２の１３−１３線に沿う断面図。
【図１４】図１２の１４−１４線に沿う断面図。
【図１５】本発明を実施するための第３の形態の包装容器本体の斜視図。
【図１６】本発明を実施するための第３の形態の蓋の斜視図。
【図１７】本発明を実施するための第４の形態の平面図。
【図１８】図１７の１８−１８線に沿う断面図。
【図１９】図１７の１９−１９線に沿う断面図。
【図２０】本発明を実施するための第４の形態の包装容器本体の斜視図。
【図２１】本発明を実施するための第４の形態の蓋の斜視図。
【発明を実施するための形態】
【００１０】
以下、図面に示す本発明を実施するための形態により、本発明を詳細に説明する。
【００１１】
図１ないし図６に示す本発明を実施するための第１の形態において、１はお弁当、麺類、惣菜等の食品を包装する本発明の包装容器で、この包装容器１は食品が収納される仕切壁２、２、２が形成され、開口部３の外周縁に内側嵌合部４と外側嵌合部５が形成された蓋嵌合突片６を有する長方形状の包装容器本体７と、この包装容器本体７の開口部３を覆おう、該包装容器本体７の蓋嵌合突片６の内側嵌合部４と外側嵌合部５と嵌合する凹部状の嵌合凹部８が外周部に形成され、かつ上面に前記包装容器本体７の底面の凹部７ａと係合する突部９を有する透明材製の蓋１０と、前記包装容器本体７の蓋嵌合突片６の各片の中央部およびその両側部に、該蓋嵌合突片６の延長方向に対して直角で、幅が３〜６ｍｍ、深さが幅の０．３〜０．８倍に形成された複数個の凹凸部で形成された本体側嵌合部１１、１１、１１、１１と、前記蓋１０の嵌合凹部８に前記本体側嵌合部１１、１１、１１、１１と嵌合するように各片の中央部およびその両側部位の、該嵌合凹部８の延長方向に対して直角に形成された複数個の凹凸部の蓋側嵌合部１２、１２、１２、１２と、前記包装容器本体７の１個所の角部に外方へ突出するように一体成型された本体側開放舌片１３と、前記蓋１０の１個所の角部に外方へ突出するように一体成型された、前記本体側開放舌片１３とは重ならない蓋側開放舌片１４と、この蓋側開放舌片１４と前記本体側開放舌片１３の近傍部位の蓋嵌合突片６と嵌合凹部８とを前記包装容器本体７に食品を収納した後、超音波で点状に固定するシール１５とで構成されている。
【００１２】
上記構成の包装容器１は包装容器本体７内に食品を収納した後、包装容器本体７の開口部３を蓋１０で閉じると、包装容器本体７の蓋嵌合突片６の内側嵌合部４と外側嵌合部５が蓋１０の嵌合凹部８とが嵌合固定するとともに、蓋嵌合突片６の本体側嵌合部１１、１１、１１、１１と蓋１０の嵌合凹部８の蓋側嵌合部１２、１２、１２、１２との嵌合で固定されるため、異なる二つの方向での嵌合となるため、確実に包装容器本体７の開口部３を蓋１０で閉じることができる。
【００１３】
また、本体側開放舌片１３と蓋側開放舌片１４近傍の蓋嵌合突片６と嵌合凹部８とを超音波で点状にシール１５するため、確実に包装容器本体７に蓋１０を固定させることができ、下部に位置する蓋１０の突部９を包装容器本体７の底面の凹部７ａと係合させることにより、確実に整列状態で積み重ね展示することができる。
【００１４】
さらに、開放は本体側開放舌片１３と蓋側開放舌片１４とを開放方向に引張ることによりシール１５部分が外れるとともに、蓋嵌合突片６と嵌合凹部８との嵌合および本体側嵌合部１１、１１、１１、１１と蓋側嵌合部１２、１２、１２、１２との嵌合が外れ、開放することができる。
【００１５】
[発明を実施するための異なる形態]
次に、図７ないし図２１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１６】
図７ないし図１１に示す本発明を実施するための第２の形態において、前記本発明を実施するための第１の形態と主に異なる点は、包装容器本体７の蓋嵌合突片６の各辺の中央部に、該蓋嵌合突片６の上面より上方へ突出する複数個の凹凸部で形成された本体側嵌合部１１Ａ、１１Ａ、１１Ａ、１１Ａと、この本体側嵌合部１１Ａ、１１Ａ、１１Ａ、１１Ａと嵌合する蓋１０の嵌合凹部８に形成された蓋側嵌合部１２Ａ、１２Ａ、１２Ａ、１２Ａを形成した点で、このように蓋嵌合突片６に本体側嵌合部１１Ａ、１１Ａ、１１Ａ、１１Ａと嵌合凹部８に蓋側嵌合部１２Ａ、１２Ａ、１２Ａ、１２Ａを形成して構成した包装容器１Ａにしても、前記本発明を実施するための第１の形態と同様な作用効果が得られる。
【００１７】
図１２ないし図１６に示す本発明を実施するための第３の形態において、前記本発明を実施するための第１の形態と主に異なる点は、包装容器本体７の蓋嵌合突片６の各辺に、該蓋嵌合突片６の延長方向に対して直角以外の傾斜で形成された本体側嵌合部１１Ｂ、１１Ｂ、１１Ｂ、１１Ｂと、この本体側嵌合部１１Ｂ、１１Ｂ、１１Ｂ、１１Ｂと嵌合するように蓋１０の嵌合凹部８に蓋側嵌合部１２Ｂ、１２Ｂ、１２Ｂ、１２Ｂを形成した点で、このように本体側嵌合部１１Ｂ、１１Ｂ、１１Ｂ、１１Ｂと蓋側嵌合部１２Ｂ、１２Ｂ、１２Ｂ、１２Ｂを用いて構成した包装容器１Ｂにしても、前記本発明を実施するための第１の形態と同様な作用効果が得られる。
【００１８】
図１７ないし図２１に示す本発明を実施するための第４の形態において、前記本発明を実施するための第１の形態と主に異なる点は、包装容器本体７Ａおよび複数個の本体側嵌合部１１Ａ、１１Ａ、１１Ａ、１１Ａが形成された蓋嵌合突片６Ａを円形状に形成するとともに、該包装容器本体７Ａの開口部３Ａおよび蓋嵌合突片６Ａと嵌合する複数個の蓋側嵌合部１２Ａ、１２Ａ、１２Ａ、１２Ａが形成された嵌合凹部８Ａおよび蓋１０Ａを円形状に形成した点で、このように構成した包装容器１Ｃにしても、前記本発明を実施するための第１の形態と同様な作用効果が得られるとともに、円形状の包装容器本体７Ａと蓋１０Ａであっても、本体側開放舌片１３と蓋側開放舌片１４によって、包装容器本体７Ａに対して蓋１０Ａの取付け位置が特定でき、内容物を確認できるように商品ラベル１６を蓋１０Ａに貼着して使用することができる。
【産業上の利用可能性】
【００１９】
本発明はお弁当、麺類、惣菜等を包装する包装容器を製造する産業で利用される。
【符号の説明】
【００２０】
１、１Ａ、１Ｂ、１Ｃ：包装容器、
２：仕切壁、        ３、３Ａ：開口部、
４：内側嵌合部、      ５：外側嵌合部、  
６、６Ａ：蓋嵌合突片、    ７、７Ａ：包装容器本体、
８、８Ａ：係合凹部、    ９：突部、
１０、１０Ａ：蓋、
１１、１１Ａ、１１Ｂ：本体側嵌合部、
１２、１２Ａ、１２Ｂ：蓋側嵌合部、
１３：本体側開放舌片、    １４：蓋側開放舌片、
１５：シール、      １６：商品ラベル。
【図１】
2012081965.tif 000003
【図２】
2012081965.tif 000004
【図３】
2012081965.tif 000005
【図４】
2012081965.tif 000006
【図５】
2012081965.tif 000007
【図６】
2012081965.tif 000008
【図７】
2012081965.tif 000009
【図８】
2012081965.tif 000010
【図９】
2012081965.tif 000011
【図１０】
2012081965.tif 000012
【図１１】
2012081965.tif 000013
【図１２】
2012081965.tif 000014
【図１３】
2012081965.tif 000015
【図１４】
2012081965.tif 000016
【図１５】
2012081965.tif 000017
【図１６】
2012081965.tif 000018
【図１７】
2012081965.tif 000019
【図１８】
2012081965.tif 000020
【図１９】
2012081965.tif 000021
【図２０】
2012081965.tif 000022
【図２１】
2012081965.tif 000023